(57)【要約】【課題】ＤＶＤを搬送路の斜め上方へ引き抜いた場合でも、ＤＶＤの記憶層の損傷を防止する構造を備えたディスク装置を提供する。【解決手段】フレーム１のスロット２近傍の天井面にはディスクＭを案内する樹脂製のガイドフラップ３が固定されている。ガイドフラップ３のうち、フレーム１に面しかつスロット２側に近い一対の角領域６はガイドフラップ３の中央部分からそれぞれ角部６ａに向けて徐々に薄肉にしたテーパ形状となっており、撓み変形可能である。フレーム１とガイドフラップ３の一対の角領域６との間にはガイドフラップ３の角領域６の撓み変形に対応する隙間７が設けられている。【選択図】　　　　図５
2004139640.tif 000002
【特許請求の範囲】
【請求項１】
ディスクの挿排を行うスロットを有する筐体と、該筐体の内面に固定されかつディスクを案内する案内部材と、該案内部材によって案内される前記ディスクに搬送力を付与するローラと、前記案内部材のうち、前記筐体に面しかつ前記スロット側に近い領域を薄肉にして該領域と前記筐体の内面との間に形成された隙間とを備えたことを特徴とするディスク装置。
【請求項２】
隙間を複数形成したことを特徴とする請求項１記載のディスク装置。
【請求項３】
案内部材のうち筐体に面しかつスロット側に近い領域はそれぞれ角部に向けて徐々に薄肉にしたテーパ形状であることを特徴とする請求項１または請求項２に記載のディスク装置。
【発明の詳細な説明】
【０００１】
【発明の属する技術分野】
この発明は、ディスク状メディア（以下、ディスクという）に対して広範囲のデータの読込みまたは書込みを光学的に行うディスク装置に関するものである。
【０００２】
【従来の技術】
両面に記憶層を有するディスクとしては例えばＤＶＤ（デジタル・バーサタイル・ディスク）が知られている。ＤＶＤは２枚のディスク状基板（厚さ０．６ｍｍ）を接着剤で貼り合わせた二重構造を有するものである。現在ＤＶＤとしては、一方のディスク状基板内に記憶層を設けかつ当該一方のディスク状基板側から読込みまたは書込みを行う片面ディスク、両方のディスク状基板内に一層ずつ記憶層を設けかつ当該一方のディスク状基板側から読込みまたは書込みを行う二層（片面）ディスク、両方のディスク状基板内に一層ずつ記憶層を設けかつ両方のディスク状基板側から読込みまたは書込みを行う両面ディスク、両方のディスク状基板内に二層ずつ記憶層を設けかつ両方のディスク状基板側から読込みまたは書込みを行う二層（両面）ディスク等の種々のタイプが知られている（例えば、特許文献１参照）。
【０００３】
このようなＤＶＤに対してデータの読込みまたは書込みを行うディスク装置としては、ＤＶＤの挿排を行うスロットを有するフレームと、このフレームの内側の上面に固定されかつＤＶＤを案内するガイドフラップと、このガイドフラップによって案内されるＤＶＤに搬送力を付与するローラと、このローラによって所定位置まで搬送されたＤＶＤの記憶層に特定波長の光を照射してデータの読込みまたは書込みを行う光ピックアップとを備えたものが知られている。このようなディスク装置では、スロット、ガイドフラップおよびローラ等で構成される搬送路に沿ってＤＶＤの挿排が行われており、特にＤＶＤをディスク装置から引き抜く際にはスロットの外側でも上記搬送路の延長面に沿ってＤＶＤを引き抜くことが想定されている。
【０００４】
【特許文献１】
特許第３２８０２９７号（図９、図１７）
【０００５】
【発明が解決しようとする課題】
しかし、従来のディスク装置は上述のような構成を有しているので、ＤＶＤをその本来想定されている搬送路に対して斜め上方へ引き抜いた場合、ＤＶＤの周縁部の一部がガイドフラップのうち、ＤＶＤの搬送路の両側部に対向するスロット側に近い一対の角領域に接触することがある。この場合、特にＤＶＤが両面に記憶層を備えたものであれば、記憶層を有するディスク状基板の表面に接触することになり、最悪の場合、記憶層自体が致命的な損傷を受けるおそれがあるという課題があった。
【０００６】
この発明は上記のような課題を解決するためになされたもので、ＤＶＤを搬送路の斜め上方へ引き抜いた場合でも、ＤＶＤの記憶層の損傷を防止する構造を備えたディスク装置を得ることを目的とする。
【０００７】
【課題を解決するための手段】
この発明に係るディスク装置は、ディスクの挿排を行うスロットを有する筐体と、該筐体の内面に固定されかつディスクを案内する案内部材と、該案内部材によって案内される前記ディスクに搬送力を付与するローラと、前記案内部材のうち、前記筐体に面しかつ前記スロット側に近い領域を薄肉にして該領域と前記筐体の内面との間に形成された隙間とを備えるように構成したものである。
【０００８】
【発明の実施の形態】
以下、この発明の実施の一形態を説明する。
実施の形態１．
図１はこの発明の実施の形態１によるディスク装置を筐体上方から見た平面図であり、図２は図１に示したディスク装置をスロット側から見た拡大正面図であり、図３は図１に示したディスク装置を矢印Ａ方向から見た拡大側面図であり、図４は図３に示したディスク装置の内部構造の要部を矢印Ａ方向から見た側面図であり、図５（ａ）および図５（ｂ）は図２および図４に示した案内部材の構造を示す図であって、図５（ａ）は平面図であり、図５（ｂ）は正面図であり、図６は図５（ａ）に示した案内部材の要部を矢印Ｂ方向から見た拡大矢視図であり、図７は図５（ａ）、図５（ｂ）および図６に示した案内部材と筐体との配置関係を示す斜視図である。
【０００９】
図において１はディスク装置のフレーム（筐体）である。フレーム１の前部（図１の下側）にはＤＶＤ等のディスクＭの挿排を行うためのスロット２が形成されている。フレーム１のスロット２近傍の天井面には図２、図４および図７に示すように、ディスクＭを案内する樹脂製のガイドフラップ（案内部材）３が固定されている。ガイドフラップ３は図５（ａ）および図５（ｂ）に示すように略板状の部材であり、その両側にはディスクＭのディスクローディング方向（矢印Ｘ方向）およびイジェクト方向（矢印Ｙ方向）に沿って延在しかつディスクＭの周側部に摺接してこれを案内する一対のディスクガイド部４および５が形成されている。ガイドフラップ３のうち、フレーム１に面しかつスロット２側に近い一対の角領域（領域）６はガイドフラップ３の中央部分からそれぞれ角部６ａに向けて徐々に薄肉にしたテーパ形状となっている。このため、フレーム１とガイドフラップ３の一対の角領域６との間にはそれぞれ隙間７が設けられている。一方、ガイドフラップ３のうち、フレーム１とは反対側に位置しかつ上記角領域６を含むディスク搬送面３ａはディスクＭの搬送を円滑に行うために連続した平坦面となっている。
【００１０】
フレーム１のスロット２近傍位置には、ガイドフラップ３に対向する位置にローラベース８が配設されている。ローラベース８は図３に示すようにガイドフラップ３との間を案内されたディスクＭに搬送力を付与するローラ９を回転可能に支持しており、ばね部材（図示せず）の付勢力によりローラ９をガイドフラップ３側へ押圧してディスクＭを挟持する方向（矢印Ｚ方向）に付勢されている。ローラ９は回転駆動モータ（図示せず）によりディスクＭを矢印Ｘ方向または矢印Ｙ方向へ搬送するように正逆回転可能である。
【００１１】
なお、スロット２の手前側にはディスク装置外側の意匠面１０が設けられている。この意匠面１０にはスロット２に対向する位置にディスクＭの挿入または排出を行うディスク挿排口１０ａが形成されている。
【００１２】
次に動作について説明する。
ディスクＭをディスク装置から排出する際には、回転駆動モータ（図示せず）が駆動され、その回転駆動力を受けてローラ９がイジェクト方向（矢印Ｙ方向）に逆回転する。これにより、ディスクＭはガイドフラップ３とローラ９との間に形成された搬送路上をスロット２側へ搬送され、図１に示すようにディスクＭの約半分がスロット２およびディスク挿排口１０ａからディスク装置の外部に露出してユーザーによる引き抜きが可能な状態で停止する。ここで、ユーザーがディスクＭを図３および図７に示すように本来のイジェクト方向（矢印Ｙ方向）から斜め上方へずれた矢印Ｄ方向へ引き抜くと、図７に示すディスクＭの周縁部の一部にあたる摺接領域ＭＰがガイドフラップ３の角領域６の表面に摺接する。このとき、一対の角領域６はその裏側部分がテーパ状に薄肉化されているので、その弾性により隙間７を狭くする方向（矢印Ｅ方向）へ撓み変形する。これにより、ディスクＭの摺接領域ＭＰへの接触圧が吸収されることから、ディスクＭへの負荷が軽減される。なお、ディスクＭの２つの摺接領域ＭＰの中間に位置する外周縁部であって排出時の最後部には記憶層（図示せず）が形成されていないので、ディスクＭの矢印Ｄ方向への引き抜きに際してはディスク装置内で接触するが、この実施の形態１では特別な対策を採っていない。
【００１３】
以上のように、この実施の形態１によれば、ガイドフラップ３のうち、フレーム１に面しかつスロット２側に近い一対の角領域６を薄肉にして角領域６とフレーム１の内面との間に２つの隙間７を備えるように構成したので、ディスクＭの排出時にディスクＭがその搬送路に対してガイドフラップ３側の斜め上方（矢印Ｄ方向）に引き抜かれた際にガイドフラップ３のスロット２側の角領域６にディスクＭの摺接領域ＭＰが接触しても、角領域６がその弾性により隙間７側へ撓んで接触圧を吸収することから、ディスクＭへの負荷が軽減され、ディスクＭの特に記憶層（図示せず）の損傷を確実に防止することができるという効果がある。
【００１４】
この実施の形態１では、ガイドフラップ３の角領域６とフレーム１の内面との間に２つの隙間７を設けるように構成したので、ディスクＭが上述のように引き抜かれた際にガイドフラップ３に接触しても、引き抜き方向（矢印Ｄ方向）に対して左右バランスよくディスクＭへの負荷を軽減することができるという効果がある。なお、この発明は隙間７を２つ設ける構成に限定されるものではなく、複数であれば数に制限はない。
【００１５】
この実施の形態１では、ガイドフラップ３のうちフレーム１に面しかつスロット２側に近い角領域６をそれぞれ角部６ａに向けて徐々に薄肉にしたテーパ形状とするように構成したので、僅かな接触圧でも確実に吸収することができることから、ディスクＭへの負荷を確実に軽減することができるという効果がある。
【００１６】
なお、この実施の形態１では、ガイドフラップ３の角領域６を振動時の異音が発生しにくいようにテーパ状に薄肉化したが、この発明はテーパ状の薄肉化に限定されることなく、ガイドフラップ３とフレーム１との間に角領域６の撓み変形に対応する隙間７が形成されるのであれば、如何なる形状の薄肉化であってもよい。
【００１７】
【発明の効果】
以上のように、この発明によれば、ディスクの挿排を行うスロットを有する筐体と、該筐体の内面に固定されかつディスクを案内する案内部材と、該案内部材によって案内される前記ディスクに搬送力を付与するローラと、前記案内部材のうち、前記筐体に面しかつ前記スロット側に近い領域を薄肉にして該領域と前記筐体の内面との間に形成された隙間とを備えるように構成したので、ディスク排出時にディスクがディスクの搬送路に対して案内部材側の斜め上方に引かれた際に案内部材のスロット側に近い領域にディスクの周縁部の一部が接触しても、当該領域がその弾性により隙間側へ撓んで接触圧を吸収することから、ディスクへの負荷が軽減され、ディスクの損傷を確実に防止することができるという効果がある。
【図面の簡単な説明】
【図１】この発明の実施の形態１によるディスク装置を筐体上方から見た平面図である。
【図２】図１に示したディスク装置をスロット側から見た拡大正面図である。
【図３】図１に示したディスク装置を矢印Ａ方向から見た拡大側面図である。
【図４】図３に示したディスク装置の内部構造の要部を矢印Ａ方向から見た側面図である。
【図５】図２および図４に示した案内部材の構造を示す図であって、（ａ）は平面図であり、（ｂ）は正面図である。
【図６】図５（ａ）に示した案内部材の要部を矢印Ｂ方向から見た拡大矢視図である。
【図７】図５（ａ）、図５（ｂ）および図６に示した案内部材と筐体との配置関係を示す斜視図である。
【符号の説明】
Ｍ　ディスク、　ＭＰ　摺接領域、　１　フレーム（筐体）、　２　スロット、　３　ガイドフラップ（案内部材）、　３ａ　ディスク搬送面、　４、５　ディスクガイド部、　６　角領域（領域）、　６ａ　角部、　７　隙間、　８　ローラベース、　９　ローラ、　１０　意匠面、　１０ａ　ディスク挿排口。
【図１】
2004139640.tif 000003
【図２】
2004139640.tif 000004
【図３】
2004139640.tif 000005
【図４】
2004139640.tif 000006
【図５】
2004139640.tif 000007
【図６】
2004139640.tif 000008
【図７】
2004139640.tif 000009